【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
地図データベースと、ＰＯＩデータベースと、地図取得手段と、ＰＯＩデータ取得手段と、表示手段と、表示制御手段と、入力手段と、を備え、前記表示制御手段が前記表示手段に、前記地図取得手段によって前記地図データベースから取得した地図画像を表示する地図表示システムにおいて、
前記入力手段によって、前記表示手段の中心を含む所定範囲内に表示された位置のいずれかが選択された場合に、前記地図取得手段は、前記選択された位置が前記表示手段の中心を含む所定範囲外に表示されるような範囲の地図画像を前記地図データベースから取得し、前記表示制御手段が前記取得された地図画像を表示すると共に、前記選択された位置を指し示すことを特徴とする地図表示システム。
【請求項２】
前記地図表示システムは、前記表示手段の中心を含む所定範囲の位置を選択設定できる表示位置設定手段を備えることを特徴とする請求項１に記載の地図表示システム。
【請求項３】
前記表示位置設定手段は、前記表示手段が設置される位置の入力を求め、前記入力手段によって入力された前記表示手段の位置の情報に対応して、前記所定範囲の位置を設定することを特徴とする請求項２に記載の地図表示システム。
【請求項４】
前記表示位置設定手段は、前記表示手段の中心と運転席に近い領域とを含む位置に前記所定範囲を設定する運転席側表示モードと、前記表示手段の中心と助手席に近い領域とを含む位置に前記所定範囲を設定する助手席側表示モードと、の設定を有し、前記運転席側表示モードと前記助手席側表示モードのいずれを選択するかの入力を求めることを特徴とする請求項２に記載の地図表示システム。
【請求項５】
前記表示位置設定手段は、前記表示手段の中心と右側の領域とを含む位置に前記所定範囲を設定する右側表示モードと、前記表示手段の中心と左側の表示とを含む位置に前記所定範囲を設定する左側表示モードと、の設定を有し、前記右側表示モードと前記左側表示モードのいずれを選択するかの入力を求めることを特徴とする請求項２に記載の地図表示システム。
【請求項６】
前記地図表示システムは、前記表示手段が設置される位置を判別する判別手段を備え、前記判別手段によって判別された前記表示手段の位置に対応して、前記表示位置設定手段が前記所定範囲を設定することを特徴とする請求項２に記載の地図表示システム。
【請求項７】
前記表示制御手段は、前記選択された位置に対応するＰＯＩに関する操作メニューを、前記表示手段の中心を含む所定範囲内に表示することを特徴とする請求項１乃至６のいずれか一項に記載の地図表示システム。
【請求項８】
前記ＰＯＩデータ取得手段は、前記選択された位置に対応するＰＯＩに関する詳細情報を前記ＰＯＩデータベースから取得し、前記表示制御手段は、前記取得された詳細情報を、前記表示手段の中心を含む所定範囲内に表示することを特徴とする請求項１乃至６のいずれか一項に記載の地図表示システム。
【請求項９】
地図取得手段と、ＰＯＩデータ取得手段と、表示手段と、表示制御手段と、入力手段と、を備え、前記表示制御手段が前記表示手段に、前記地図取得手段によって取得した地図画像を表示する地図表示装置において、
前記入力手段によって、前記表示手段の中心を含む所定範囲内に表示された位置のいずれかが選択された場合に、前記地図取得手段は、前記選択された位置が前記表示手段の中心を含む所定範囲外に表示されるような範囲の地図画像を取得し、前記表示制御手段が前記取得された地図画像とを表示すると共に、前記選択された位置を指し示すことを特徴とする地図表示装置。
【請求項１０】
地図データベースと、ＰＯＩデータベースと、地図取得手段と、ＰＯＩデータ取得手段と、表示手段と、表示制御手段と、入力手段と、を備える地図表示システムにおける地図表示方法であって、
（１）前記表示制御手段が前記地図データベースから前記地図取得手段によって取得した地図画像を表示手段に表示するステップと、
（２）前記入力手段によって、前記表示手段の中心を含む所定範囲内に表示された位置のいずれかが選択されたか否かを判別するステップと、
（３）前記（２）のステップにおいて前記位置のいずれかが選択されたと判定された場合に、前記地図取得手段は、前記選択された位置が前記表示手段の中心を含む所定範囲外に表示されるような範囲の地図画像を前記地図データベースから取得し、前記表示制御手段が前記取得された地図画像を表示すると共に、前記選択された位置を指し示すステップと、を備えることを特徴とする地図表示方法。
【手続補正２】
【補正対象書類名】明細書
【補正対象項目名】００１１
【補正方法】変更
【補正の内容】
【００１１】
上記課題を解決するために本発明の地図表示システムは、
地図データベースと、ＰＯＩデータベースと、地図取得手段と、ＰＯＩデータ取得手段と、表示手段と、表示制御手段と、入力手段と、を備え、前記表示制御手段が前記表示手段に、前記地図取得手段によって前記地図データベースから取得した地図画像を表示する地図表示システムにおいて、
前記入力手段によって、前記表示手段の中心を含む所定範囲内に表示された位置のいずれかが選択された場合に、前記地図取得手段は、前記選択された位置が前記表示手段の中心を含む所定範囲外に表示されるような範囲の地図画像を前記地図データベースから取得し、前記表示制御手段が前記取得された地図画像を表示すると共に、前記選択された位置を指し示すことを特徴とする。
【手続補正３】
【補正対象書類名】明細書
【補正対象項目名】００１２
【補正方法】変更
【補正の内容】
【００１２】
また、上記態様において、前記地図表示システムは、前記表示手段の中心を含む所定範囲の位置を選択設定できる表示位置設定手段を備えることを特徴とする。
【手続補正４】
【補正対象書類名】明細書
【補正対象項目名】００１３
【補正方法】変更
【補正の内容】
【００１３】
また、上記態様において、前記表示位置設定手段は、前記表示手段が設置される位置の入力を求め、前記入力手段によって入力された前記表示手段の位置の情報に対応して、前記所定範囲の位置を設定することを特徴とする。
【手続補正５】
【補正対象書類名】明細書
【補正対象項目名】００１４
【補正方法】変更
【補正の内容】
【００１４】
また、上記態様において、前記表示位置設定手段は、前記表示手段の中心と運転席に近い領域とを含む位置に前記所定範囲を設定する運転席側表示モードと、前記表示手段の中心と助手席に近い領域とを含む位置に前記所定範囲を設定する助手席側表示モードと、の設定を有し、前記運転席側表示モードと前記助手席側表示モードのいずれを選択するかの入力を求めることを特徴とする。
【手続補正６】
【補正対象書類名】明細書
【補正対象項目名】００１５
【補正方法】変更
【補正の内容】
【００１５】
また、上記態様において、前記表示位置設定手段は、前記表示手段の中心と右側の領域とを含む位置に前記所定範囲を設定する右側表示モードと、前記表示手段の中心と左側の表示とを含む位置に前記所定範囲を設定する左側表示モードと、の設定を有し、前記右側表示モードと前記左側表示モードのいずれを選択するかの入力を求めることを特徴とする。
【手続補正７】
【補正対象書類名】明細書
【補正対象項目名】００１６
【補正方法】変更
【補正の内容】
【００１６】
また、上記態様において、前記地図表示システムは、前記表示手段が設置される位置を判別する判別手段を備え、前記判別手段によって判別された前記表示手段の位置に対応して、前記表示位置設定手段が前記所定範囲を設定することを特徴とする。
【手続補正８】
【補正対象書類名】明細書
【補正対象項目名】００１７
【補正方法】変更
【補正の内容】
【００１７】
また、上記態様において、前記表示制御手段は、前記選択された位置に対応するＰＯＩに関する操作メニューを、前記表示手段の中心を含む所定範囲内に表示することを特徴とする。
【手続補正９】
【補正対象書類名】明細書
【補正対象項目名】００１８
【補正方法】変更
【補正の内容】
【００１８】
また、上記態様において、前記ＰＯＩデータ取得手段は、前記選択された位置に対応するＰＯＩに関する詳細情報を前記ＰＯＩデータベースから取得し、前記表示制御手段は、前記取得された詳細情報を、前記表示手段の中心を含む所定範囲内に表示することを特徴とする。
【手続補正１０】
【補正対象書類名】明細書
【補正対象項目名】００１９
【補正方法】変更
【補正の内容】
【００１９】
また、本発明の地図表示装置は、
地図取得手段と、ＰＯＩデータ取得手段と、表示手段と、表示制御手段と、入力手段と、を備え、前記表示制御手段が前記表示手段に、前記地図取得手段によって取得した地図画像を表示する地図表示装置において、
前記入力手段によって、前記表示手段の中心を含む所定範囲内に表示された位置のいずれかが選択された場合に、前記地図取得手段は、前記選択された位置が前記表示手段の中心を含む所定範囲外に表示されるような範囲の地図画像を取得し、前記表示制御手段が前記取得された地図画像とを表示すると共に、前記選択された位置を指し示すことを特徴とする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
また、本発明の地図表示方法は、
地図データベースと、ＰＯＩデータベースと、地図取得手段と、ＰＯＩデータ取得手段と、表示手段と、表示制御手段と、入力手段と、を備える地図表示システムにおける地図表示方法であって、
（１）前記表示制御手段が前記地図データベースから前記地図取得手段によって取得した地図画像を表示手段に表示するステップと、
（２）前記入力手段によって、前記表示手段の中心を含む所定範囲内に表示された位置のいずれかが選択されたか否かを判別するステップと、
（３）前記（２）のステップにおいて前記位置のいずれかが選択されたと判定された場合に、前記地図取得手段は、前記選択された位置が前記表示手段の中心を含む所定範囲外に表示されるような範囲の地図画像を前記地図データベースから取得し、前記表示制御手段が前記取得された地図画像を表示すると共に、前記選択された位置を指し示すステップと、を備えることを特徴とする。
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】変更
【補正の内容】
【００３５】
本発明は、上記の構成を備えることによって下記の優れた効果を奏する。すなわち、本発明によれば、表示手段に表示された位置のうち、表示手段の中心を含む所定範囲内に位置しているもののいずれかがユーザによって選択された際に、選択された位置が当該所定範囲外に表示されるように地図を移動して表示する表示すると共に、前記選択された位置を指し示す。これにより、表示手段の中心を含む所定範囲を、他の用途のために使用することが可能となる。表示手段の中心を含む部分はユーザにとって視認しやすい部分であるから、より重要な情報を表示したりするために当該部分を使用することは特に効果的である。
【手続補正２７】
【補正対象書類名】明細書
【補正対象項目名】００３６
【補正方法】変更
【補正の内容】
【００３６】
また、本発明の一態様によれば、地図表示システムは、前記表示手段の中心を含む所定範囲の位置を選択設定できる表示位置設定手段を備える。これにより、設置位置から適切な所定範囲の位置を設定できるようにすることが可能となる。
【手続補正２８】
【補正対象書類名】明細書
【補正対象項目名】００３７
【補正方法】変更
【補正の内容】
【００３７】
また、本発明の一態様によれば、表示位置設定手段は、前記表示手段が設置される位置の入力を求め、前記入力手段によって入力された前記表示手段の位置の情報に対応して、前記所定範囲の位置を設定する。これにより、設置位置から適切な所定範囲の位置を設定できるようにする。
【手続補正２９】
【補正対象書類名】明細書
【補正対象項目名】００３８
【補正方法】変更
【補正の内容】
【００３８】
また、本発明の一態様によれば、前記表示位置設定手段は、前記表示手段の中心と運転席に近い領域とを含む位置に前記所定範囲を設定する運転席側表示モードと、前記表示手段の中心と助手席に近い領域とを含む位置に前記所定範囲を設定する助手席側表示モードと、の設定を有し、前記運転席側表示モードと前記助手席側表示モードのいずれを選択するかの入力を求める。表示位置設定手段によって、運転席側表示モードと助手席側表示モードとを選択設定でき、運転席側表示モードを選択設定した場合には、表示手段の中心を含む運転席から近い側の領域に所定範囲が設定され、その所定範囲外にＰＯＩマーカが表示されることによって、運転席側から所定範囲に表示されるメニュー画面や詳細情報画面が視認しやすくなるとともに、操作者が運転手の場合には運転手にとってメニュー画面に手が届きやすくなって操作がし易くなる。逆に助手席に座っている人が操作メニューを操作している場合に、助手席の人にとってＰＯＩマーカの表示が手の影にならず、視認しやすくなる。
【手続補正３０】
【補正対象書類名】明細書
【補正対象項目名】００３９
【補正方法】変更
【補正の内容】
【００３９】
一方、助手席側表示モードを選択設定した場合には、表示手段の中心を含む助手席から近い側の領域に所定範囲が設定され、その所定範囲外にＰＯＩマーカが表示されることによって、助手席側から所定範囲に表示されるメニュー画面や詳細情報画面が視認しやすくなるとともに、操作者が助手席に座っている人の場合には助手席の人にとってメニュー画面に手が届きやすくなって操作がし易くなる。逆に運転手が操作メニューを操作している場合に、運転手にとってＰＯＩマーカの表示が手の影にならず、視認しやすくなる。これにより、ユーザが運転席側表示モード、助手席側表示モードを設定するだけで、ユーザにとって視認しやすく、操作が行いやすい表示を行うことが可能となる。
【手続補正３１】
【補正対象書類名】明細書
【補正対象項目名】００４０
【補正方法】変更
【補正の内容】
【００４０】
また、本発明の一態様によれば、表示位置設定手段によって、右側表示モードと左側表示モードとを選択設定でき、右側表示モードを選択設定した場合には、表示手段の中心と右側の領域を含む位置に所定範囲が設定され、その所定範囲外にＰＯＩマーカが表示されることによって、右側の座席から所定範囲に表示されるメニュー画面や詳細情報画面が視認しやすくなるとともに、操作者が右側の座席に座っている人の場合にはその右側席の人にとってメニュー画面に手が届きやすくなって操作がし易くなる。逆に左側の座席に座っている人が操作メニューを操作している場合に、その左側席の人にとってＰＯＩマーカの表示が手の影にならず、視認しやすくなる。
【手続補正３２】
【補正対象書類名】明細書
【補正対象項目名】００４１
【補正方法】変更
【補正の内容】
【００４１】
一方、左側表示モードを選択設定した場合には、表示手段の中心と左側の領域を含む位置に所定範囲が設定され、その所定範囲外にＰＯＩマーカが表示されることによって、左側の座席から所定範囲に表示されるメニュー画面や詳細情報画面が視認しやすくなるとともに、操作者が左側の座席に座っている人の場合にはその左側席の人にとってメニュー画面に手が届きやすくなって操作がし易くなる。逆に右側の座席に座っている人が操作メニューを操作している場合に、その右側席の人にとってＰＯＩマーカの表示が手の影にならず、視認しやすくなる。これにより、この地図表示システムの表示手段が設置される車両が右ハンドル車か左ハンドル車かのいずれの場合において運転席側から或いは助手席側から視認しやすく、操作が行いやすい操作メニューや詳細情報の表示を行うことが可能となる。
【手続補正３３】
【補正対象書類名】明細書
【補正対象項目名】００４２
【補正方法】変更
【補正の内容】
【００４２】
また、本発明の一態様によれば、地図表示システムは表示手段が設置される位置を判別する判別手段を備えている。この判別手段は、例えば、表示手段が所定箇所、例えば車両のダッシュボードや他の支持手段に取付けられているか否かを判別し、表示手段が所定箇所に取付けられていることを判別した際には、予め定められた設定位置に所定範囲を設定する。
【手続補正３４】
【補正対象書類名】明細書
【補正対象項目名】００４３
【補正方法】変更
【補正の内容】
【００４３】
また、本発明の一態様によれば、表示手段の中心を含む所定範囲内に選択されたＰＯＩに関する操作メニューが表示される。これにより、操作メニューが表示手段の中心を含むより大きな領域に表示することが可能となり、ユーザはＰＯＩを選択した際に、このＰＯＩに関してさらに行いたい処理を容易に視認しながら選択することが可能となる。
【手続補正３５】
【補正対象書類名】明細書
【補正対象項目名】００４４
【補正方法】変更
【補正の内容】
【００４４】
また、本発明の一態様によれば、表示手段の中心を含む所定範囲内に選択されたＰＯＩに関する詳細情報が表示される。これにより、ＰＯＩの詳細情報が表示手段の中心を含むより大きな領域に表示することが可能となり、視認性が増すだけでなく、より多くの情報を表示することが可能となる。